(57)【特許請求の範囲】
【請求項１】
一次冷媒（ｘ）を圧縮する一次冷媒用圧縮機（５）および一次冷媒（ｘ）を凝縮液化する一次冷媒用凝縮器（６）を有する室外ユニット（１）と、一次冷媒（ｘ）を減圧する一次冷媒用減圧機構（７）、一次冷媒（ｘ）を蒸発気化させる一次冷媒用蒸発器（８）、二次冷媒（ｙ）を圧縮する二次冷媒用圧縮機（９）および前記一次冷媒用蒸発器（８）との熱交換により二次冷媒（ｙ）を凝縮液化する二次冷媒用凝縮器（１０）を有するカスケードユニット（２）と、二次冷媒（ｙ）を減圧する二次冷媒用減圧機構（１１Ａ），（１１Ｂ）・・および二次冷媒（ｙ）を蒸発気化させる二次冷媒用蒸発器（１２Ａ），（１２Ｂ）・・をそれぞれ有する複数のショーケース用冷凍ユニット（３Ａ），（３Ｂ）・・をそれぞれ内蔵したショーケース（４Ａ），（４Ｂ）・・とを備えたショーケース用冷凍装置であって、前記カスケードユニット（２）の隣り合う２側面（２ａ），（２ｂ）には、前記ショーケース用冷凍ユニット（３Ａ），（３Ｂ）・・への配管接続部（１３Ａ），（１３Ｂ）・・をそれぞれ設けたことを特徴とするショーケース用冷凍装置。
【請求項２】
前記カスケードユニット（２）を、前記ショーケース（４Ａ），（４Ｂ）・・が配置されている室（１４）内の隅部（１４ａ）に配設したことを特徴とする前記請求項１記載のショーケース用冷凍装置。
【請求項３】
前記カスケードユニット（２）を、前記ショーケース（４）の底部（４ａ）に配設したことを特徴とする請求項１記載のショーケース用冷凍装置。
【発明の詳細な説明】
【０００１】
【発明の属する技術分野】
【０００２】
本願発明は、ショーケース用冷凍装置に関し、さらに詳しくは二元冷凍サイクルを備えたショーケース用冷凍装置に関するものである。
【従来の技術】
【０００３】
従来のショーケース用冷凍装置としては、圧縮機および凝縮器を有する室外ユニットと、減圧機構および蒸発器を有するショーケース用冷凍ユニットとからなる分離型のものがよく知られている。
【発明が解決しようとする課題】
【０００４】
上記構成の従来型のショーケース用冷凍装置の場合、１台の圧縮機により運転される一元冷凍サイクルとされているため、ショーケース用冷凍ユニットにおける冷却能力を大きくした場合、ショーケース用冷凍ユニットから室外ユニットへ還流されるガス冷媒の温度が低くなる。従って、ショーケース用冷凍ユニットと室外ユニットとを連絡する連絡配管の防熱処理に高度な技術が必要となり、コストアップの原因となるという不具合がある。また、複数のショーケース用冷凍ユニットを１台の圧縮機に運転することとなるため、圧縮機が大型化せざるを得ず、消費電力が大きくなるという不具合もあった。
【０００５】
そこで、上記不具合を解消するために、室外ユニットとカスケードユニットとショーケース用冷凍ユニットとを備えた二元冷凍サイクルのショーケース用冷凍装置を用いることが考えられるが、すると、カスケードユニットをショーケース配置室に設置せざるを得ないこととなり、設置スペースが問題なる。
【０００６】
本願発明は、上記の点に鑑みてなされたもので、二元冷凍サイクルを用いたショーケース用冷凍装置において、ショーケース配置室におけるデッドスペースを有効に利用し得るようにすることを目的とするものである。
【課題を解決するための手段】
【０００７】
本願発明の第１の基本構成（請求項１の発明）では、上記課題を解決するための手段として、一次冷媒ｘを圧縮する一次冷媒用圧縮機５および一次冷媒ｘを凝縮液化する一次冷媒用凝縮器６を有する室外ユニット１と、一次冷媒ｘを減圧する一次冷媒用減圧機構７、一次冷媒ｘを蒸発気化させる一次冷媒用蒸発器８、二次冷媒ｙを圧縮する二次冷媒用圧縮機９および前記一次冷媒用蒸発器８との熱交換により二次冷媒ｙを凝縮液化する二次冷媒用凝縮器１０を有するカスケードユニット２と、二次冷媒ｙを減圧する二次冷媒用減圧機構１１Ａ，１１Ｂ・・および二次冷媒ｙを蒸発気化させる二次冷媒用蒸発器１２Ａ，１２Ｂ・・をそれぞれ有する複数のショーケース用冷凍ユニット３Ａ，３Ｂ・・をそれぞれ内蔵したショーケース４Ａ，４Ｂ・・とを備えたショーケース用冷凍装置において、前記カスケードユニット２の隣り合う２側面２ａ，２ｂに、前記ショーケース用冷凍ユニット３Ａ，３Ｂ・・への配管接続部１３Ａ，１３Ｂ・・をそれぞれ設けている。
【０００８】
上記のように構成したことにより、カスケードユニット２における隣り合う２側面２ａ，２ｂからショーケース用冷凍ユニット３Ａ，３Ｂ・・への配管接続を直角２方向でできることとなり、デッドスペースとなるショーケース配置室１４の隅部１４ａにカスケードユニット２を配置することができる。従って、省スペースに寄与するとともに、カスケードユニット２の大型化も可能となる。また、カスケードユニット２をショーケース配置室１４の隅部１４ａに配置した場合、室外ユニット１への配管方向も２方向のうちから選択できることとなり、室外ユニット１の設置場所を室外環境に応じて選択することもできる。しかも、従来の一元冷凍サイクルのもののように室外連絡配管の防熱処理に高度な技術を必要としないとともに、圧縮機の小型化による省エネルギー化を図ることもできる。
【０００９】
請求項２の発明におけるように、前記カスケードユニット２を、前記ショーケース４Ａ，４Ｂ・・が配置されている室１４内の隅部１４ａに配設した場合、壁際へのショーケース４Ａ，４Ｂ・・の配置が可能となり、ショーケース配置室１４のスペースを有効に利用することができる。
【００１０】
請求項３の発明におけるように、前記カスケードユニット２を、前記ショーケース４の底部４ａに配設した場合、ショーケース４の底部４ａに形成されるデッドスペースを有効に利用したカスケードユニット２の配置が得られることとなり、省スペースを図ることができるとともに、カスケードユニット２が外部から見えることがなくなる。
【発明の実施の形態】
【００１１】
以下、添付の図面を参照して、本願発明の幾つかの好適な実施の形態について詳述する。
【００１２】
第１の実施の形態（請求項１および２に対応）
図１ないし図３には、本願発明の第１の実施の形態にかかるショーケース用冷凍装置が示されている。
【００１３】
このショーケース用冷凍装置は、図１に示すように、一次冷媒ｘを圧縮する一次冷媒用圧縮機５および一次冷媒ｘを凝縮液化する一次冷媒用凝縮器６を有する室外ユニット１と、一次冷媒ｘを減圧する一次冷媒用減圧機構７、一次冷媒ｘを蒸発気化させる一次冷媒用蒸発器８、二次冷媒ｙを圧縮する二次冷媒用圧縮機９および前記一次冷媒用蒸発器８との熱交換により二次冷媒ｙを凝縮液化する二次冷媒用凝縮器１０を有するカスケードユニット２と、二次冷媒ｙを減圧する二次冷媒用減圧機構１１Ａ，１１Ｂおよび二次冷媒ｙを蒸発気化させる二次冷媒用蒸発器１２Ａ，１２Ｂをそれぞれ有する二つのショーケース用冷凍ユニット３Ａ，３Ｂをそれぞれ内蔵したショーケース４Ａ，４Ｂとを備えて構成されている。
【００１４】
上記構成のショーケース用冷凍装置においては、一次冷媒用圧縮機５から圧送された一次冷媒ｘが、一次冷媒用凝縮器６において凝縮液化された後、一次冷媒用減圧機構７で減圧され、その後一次冷媒用蒸発器８で蒸発気化され、一次冷媒用圧縮機５へ還流される。
【００１５】
一方、二次冷媒用圧縮機９から圧送された二次冷媒ｙは、二次冷媒用凝縮器１０において前記一次冷媒用蒸発器８との熱交換により凝縮液化された後、二次冷媒用減圧機構１１Ａ，１１Ｂで減圧され、その後二次冷媒用蒸発器１２Ａ，１２Ｂで蒸発気化され、二次冷媒用圧縮機９へ還流される。従って、一次冷媒用蒸発器８との熱交換により低温化された二次冷媒ｙが二次冷媒用蒸発器１２Ａ，１２Ｂにおいて蒸発気化することによりショーケース４Ａ，４Ｂの冷却を行うこととなる。この場合、一次冷媒用蒸発器８から一次冷媒用圧縮機５へ還流するガス冷媒の温度は、通常の空気調和機の場合程度に抑えることができるので、室外ユニット１への連絡配管の防熱処理に高度な技術を必要としなくなる。
【００１６】
そして、前記カスケードユニット２の隣り合う２側面２ａ，２ｂには、ショーケース用冷凍ユニット３Ａ，３Ｂへの配管接続部１３Ａ，１３Ａおよび１３Ｂ，１３Ｂがそれぞれ設けられている。
【００１７】
このようにすると、カスケードユニット２における隣り合う２側面２ａ，２ｂからショーケース用冷凍ユニット３Ａ，３Ｂへの配管接続を直角２方向でできることとなる。従って、図２に示すように、ショーケース４Ａ，４Ｂを壁際に配置した場合に、デッドスペースとなるショーケース配置室１４の隅部１４ａにカスケードユニット２を配置することができることとなり、省スペースに寄与するとともに、前記隅部１４ａは、上下方向にデッドスペースとなるところから、カスケードユニット２の大型化も可能となる。例えば、図３に示すように、ショーケース配置室１４の二つの隅部１４ａ，１４ａにカスケードユニット２，２を配置すれば、ショーケース配置室１４における３面の壁Ｗに沿ってショーケース４Ａ，４Ｂ・・を配置することができ、ショーケース配置室１４のスペースを有効に利用することができる。
【００１８】
また、上記したように、カスケードユニット２をショーケース配置室１４の隅部１４ａに配置した場合、室外ユニット１への配管方向も２方向のうちから選択できることとなり、室外ユニット１の設置場所を室外環境に応じて選択することもできる。しかも、従来の一元冷凍サイクルのもののように室外連絡配管の防熱処理に高度な技術を必要としないとともに、圧縮機の小型化による省エネルギー化を図ることもできる。
【００１９】
第２の実施の形態（請求項３に対応）
図４には、本願発明の第２の実施の形態にかかるショーケース用冷凍装置が示されている。
【００２０】
この場合、ショーケース４の底部４ａにカスケードユニット２が配置されている。このようにすると、ショーケース４の底部４ａに形成されるデッドスペースを有効に利用したカスケードユニット２の配置が得られることとなる。従って、省スペースを図ることができるとともに、カスケードユニット２が外部から見えることがなくなる。その他の構成および作用効果は第１の実施の形態におけると同様なので説明を省略する。
【発明の効果】
【００２１】
本願発明の第１の基本構成（請求項１の発明）によれば、一次冷媒ｘを圧縮する一次冷媒用圧縮機５および一次冷媒ｘを凝縮液化する一次冷媒用凝縮器６を有する室外ユニット１と、一次冷媒ｘを減圧する一次冷媒用減圧機構７、一次冷媒ｘを蒸発気化させる一次冷媒用蒸発器８、二次冷媒ｙを圧縮する二次冷媒用圧縮機９および前記一次冷媒用蒸発器８との熱交換により二次冷媒ｙを凝縮液化する二次冷媒用凝縮器１０を有するカスケードユニット２と、二次冷媒ｙを減圧する二次冷媒用減圧機構１１Ａ，１１Ｂ・・および二次冷媒ｙを蒸発気化させる二次冷媒用蒸発器１２Ａ，１２Ｂ・・をそれぞれ有する複数のショーケース用冷凍ユニット３Ａ，３Ｂ・・をそれぞれ内蔵したショーケース４Ａ，４Ｂ・・とを備えたショーケース用冷凍装置において、前記カスケードユニット２の隣り合う２側面２ａ，２ｂに、前記ショーケース用冷凍ユニット３Ａ，３Ｂ・・への配管接続部１３Ａ，１３Ｂ・・をそれぞれ設けて、カスケードユニット２における隣り合う２側面２ａ，２ｂからショーケース用冷凍ユニット３Ａ，３Ｂ・・への配管接続を直角２方向でできるようにしたので、デッドスペースとなるショーケース配置室１４の隅部１４ａにカスケードユニット２を配置することができることとなり、省スペースに寄与するとともに、カスケードユニット２の大型化も可能となるという優れた効果がある。
【００２２】
また、カスケードユニット２をショーケース配置室１４の隅部１４ａに配置した場合、室外ユニット１への配管方向も２方向のうちから選択できることとなり、室外ユニット１の設置場所を室外環境に応じて選択することもできる。
【００２３】
しかも、従来の一元冷凍サイクルのもののように室外連絡配管の防熱処理に高度な技術を必要としないとともに、圧縮機の小型化による省エネルギー化を図ることもできる。
【００２４】
請求項２の発明におけるように、前記カスケードユニット２を、前記ショーケース４Ａ，４Ｂ・・が配置されている室１４内の隅部１４ａに配設した場合、壁際へのショーケース４Ａ，４Ｂ・・の配置が可能となり、ショーケース配置室１４のスペースを有効に利用することができる。
【００２５】
請求項３の発明におけるように、前記カスケードユニット２を、前記ショーケース４の底部４ａに配設した場合、ショーケース４の底部４ａに形成されるデッドスペースを有効に利用したカスケードユニット２の配置が得られることとなり、省スペースを図ることができるとともに、カスケードユニット２が外部から見えることがなくなる。
【図面の簡単な説明】
【図１】  本願発明の第１の実施の形態にかかるショーケース用冷凍装置の冷媒回路図である。
【図２】  本願発明の第１の実施の形態にかかるショーケース用冷凍装置のショーケース配置室内での配置を示す部分平面図である。
【図３】  本願発明の第１の実施の形態にかかるショーケース用冷凍装置におけるショーケース配置の例を示す平面図である。
【図４】  本願発明の第２の実施の形態にかかるショーケース用冷凍装置の冷媒回路図である。
【符号の説明】
１は室外ユニット、２はカスケードユニット、３，３Ａ，３Ｂ・・はショーケース用冷凍ユニット、４，４Ａ，４Ｂ・・はショーケース、４ａは底部、５は一次冷媒用圧縮機、６は一次冷媒用凝縮器、７は一次冷媒用減圧機構、８は一次冷媒用蒸発器、９は二次冷媒用圧縮機、１０は二次冷媒用凝縮器、１１、１１Ａ，１１Ｂ・・は二次冷媒用減圧機構、１２，１２Ａ，１２Ｂは二次冷媒用蒸発器、１３Ａ，１３Ｂ・・は配管接続部、１４はショーケース配置室、１４ａは隅部、ｘは一次冷媒、ｙは二次冷媒。
【図１】
0003820714.tif 000002
【図２】
0003820714.tif 000003
【図３】
0003820714.tif 000004
【図４】
0003820714.tif 000005